(57)【特許請求の範囲】
【請求項１】
ガス管の先端に継手パイプを接続し、この継手パイプの先端を焼烙ごてに形成する牛の除角用焼烙ごてにおいて、こて先部を牛の月令に対応する形状や焼烙面積を備える複数の形状として、先端を閉塞したキャップ状に形成し、閉塞面の外側にリング体を取付けてリング面とリング内の凹部とをそれぞれ焼烙面に形成し、こて先部の基部に三角形状の止血用の座板を取り付け、この座板の鋭角先端部を止血部に形成し、前記止血用の座板の鋭角先端部はこて先部よりも上方に突出させ、こて先部の上面に鋭角先端部に供給する燃焼ガスのガス孔を形成したことを特徴とする牛の除角用焼烙ごて。
【請求項２】
前記ガス管は、携帯用ガスボンベのガス管である請求項１に記載の牛の除角用焼烙ごて。
【発明の詳細な説明】
【技術分野】
【０００１】
本発明は、乳牛や肉牛の除角用焼烙ごてに関するものである。
【背景技術】
【０００２】
乳牛飼育において、作業者の安全性、牛同士の闘争の防止、係留器具への係留作業の円滑化などを図るために、また、肉牛飼育においては、あたり（闘争時の角突きによる内出血）による肉牛販売利益損失の防止、ボス牛の出現防止による生産物の均一化などを図るために、牛の除角を行う必要がある。
【０００３】
この除角の方法として、従来は例えば電気式半田ごて、炭火により加熱した鉄棒などを使用し、除角器により角を切除した後、その切口（傷口）を焼烙により止血し、角根部の神経、血管などの発育組織を壊死させて角の発育を停止させている。
【０００４】
これら従来の方法では、電気式半田ごてを使用する場合は、電源を得られる場所、また、加熱した鉄棒による場合は炭火のおこせる場所と、作業場所が限定されたり、また、用具の運搬、準備にも手間取り、作業性がよくなかった。
【０００５】
さらに、牛の角を焼烙するための専用の用具ではないため、使い勝手もよくなかった。
【０００６】
そこで、かかる不都合を解消するものとして、携帯用ガスボンベのバーナーの先端に燃焼ガス誘導管を取り付け、この燃焼ガス誘導管の先端に、先端部を焼烙ごてに形成した筒体を取り付け、前記焼烙ごての内面を凹弧面状に形成した牛の除角用焼烙ごてがある（例えば特許文献１参照）。
【０００７】
【特許文献１】実公平７−３７４９２号公報
【発明の開示】
【発明が解決しようとする課題】
【０００８】
前記実公平７−３７４９２号公報に記載の焼烙ごては、筒体の端部がそのままの形状でこて先となっているため、先端が平坦な円形で、焼烙するための面積も筒体の径により決定される円形の範囲内に限定される。
【０００９】
一方、焼烙する牛の角は、月令により大きさが異なるが、前記のような焼烙部の面積が一定に限定されるものでは、月令により大きさの異なる牛の角に対して柔軟に対処できず、確実に焼烙出来ないこともある。
【００１０】
そして、異なる大きさの角に対応するには、異なる形状、大きさのこて先を予め複数種類用意し、角の大きさに応じて異なるこて先をバーナーに取り付け替えしていたため、取付け替えに手間を要し作業性がよくなかった。
【００１１】
本発明の目的は前記従来例の不都合を解消し、月令によって大きさの異なる牛の角に対して、どのような大きさであっても使用部位を変えるだけで同じ焼烙ごての使用ができ、こて先を付替える必要がなく、作業性の向上を図れる牛の除角用焼烙ごてを提供することにある。
【課題を解決するための手段】
【００１２】
本発明は前記目的を達成するものとして、請求項１記載の発明は、ガス管の先端に継手パイプを接続し、この継手パイプの先端を焼烙ごてに形成する牛の除角用焼烙ごてにおいて、こて先部を牛の月令に対応する形状や焼烙面積を備える複数の形状として、先端を閉塞したキャップ状に形成し、閉塞面の外側にリング体を取付けてリング面とリング内の凹部とをそれぞれ焼烙面に形成し、こて先部の基部に三角形状の止血用の座板を取り付け、この座板の鋭角先端部を止血部に形成し、前記止血用の座板の鋭角先端部はこて先部よりも上方に突出させ、こて先部の上面に鋭角先端部に供給する燃焼ガスのガス孔を形成したことを要旨とするものである。
【００１３】
請求項１記載の本発明によれば、こて先部の形状を牛の月令に対応する形状や焼烙面積を備える複数の形に形成したから、ひとつのこて先部で異なる月令の牛に対応でき、こて先部を牛の月令にあわせて変える必要がなく、作業性がよく、確実に焼烙できる。
【００１４】
具体的には、除角器を使用しない１ヶ月令までの角が生える前までの牛に対しては、凹部のくぼみを利用して角を包み込むようにして焼き、角が生え始めた牛に対しては、除角した後、切断面をリング面で焼烙し、１０ヶ月令前後からの牛に対しては、除角後、面で焼くだけでは血が止りにくいので、座板の尖った鋭角先端部を使用して点で焼き止血する。
【００１５】
そして、継手パイプの先端に形成されるこて先部の上面に、ガス孔を設けたから、ここから噴出する燃焼ガスがその後方に位置している鋭角先端部を加熱し、これにより鋭角先端部による点による止血が可能となる。
【００１６】
請求項２記載の発明は、前記ガス管は、携帯用ガスボンベのガス管であることを要旨とするものである。
【００１７】
請求項２記載の本発明によれば、前記作用に加えて、携帯用ガスバーナーを使用することで、作業場所が限定されずに作業性が向上する。
【発明の効果】
【００１８】
以上述べたように本発明の牛の除角用焼烙ごては、ひとつのこて先部を牛の月令に対応する形状や焼烙面積を備える複数の形に形成したから、月令によって大きさの異なる牛の角に対して、どのような大きさであっても使用部位を変えるだけで同じ焼烙ごての使用ができ、こて先を付替える必要がなく、作業性の向上を図れるものである。
【発明を実施するための最良の形態】
【００１９】
以下、図面について本発明の牛の除角用焼烙ごての実施形態を詳細に説明する。図１は本発明の牛の除角用焼烙ごての実施形態を示す全体斜視図、図２は同上要部である継手パイプおよびこて先部の一部切欠いた側面図、図３は同上要部であるこて先部の正面図で、図中１は市販のカセットコンロ用ボンベなど、周知の携帯用ガスボンベを示し、このガスボンベ１には図１に示すように上部のボンベホルダー２を介してガス管３が接続され、その先端に図２に示す継手パイプ４が接続され、さらにその先端にこて先部５が接続される。
【００２０】
継手パイプ４は、ボンベ側のパイプ４ａとこて先部５側のパイプ４ｂとで構成され、こて先部５側のパイプ４ｂには周囲に複数の開口孔６が適宜間隔で穿設され、両パイプ４ａ，４ｂの境界には鍔状の返り火避け７が取付けてある。
【００２１】
こて先部５は、図２および図４、図５にも示すこて先８と止血用の座板９との組合せで構成され、こて先８は、円筒状の部材の先端を閉塞したキャップ状体１０と、このキャップ状体１０の先端の閉塞面の外側に取付けたリング体１１とで構成され、リング体１１のリング面１１ａとリング内の凹部１１ｂとをそれぞれ焼烙面に形成した。
【００２２】
止血用の座板９は、前記こて先８の基部に取付けられ、パイプ４ｂへの結合用の筒体９ａとその前側に配設される正面三角形状の板体９ｂとで形成され、板体９ｂには筒体９ａに連通する開口１３が中央に形成してある。
【００２３】
板体９ｂの上端は６０度の角度の鋭角先端部とし、これを止血部１４とする。
【００２４】
前記筒体９ａの径はキャップ状体１０の筒の径よりも小さく形成し、開口１３がキャップ状体１０の筒体の内側に位置するようにこて先８と座板９とを組合わせ、板体９ｂは底辺部がキャップ状体１０の筒体の開口の内側に位置し、かつ、鋭角先端部である止血部１４がキャップ状体１０よりも上方に突出するように組合わせる。
【００２５】
図２、図４において、符号１２はキャップ状体１０に設けた、鋭角先端部に供給する燃焼ガスのガス孔を示す。
【００２６】
次に使用法について説明する。ガスボンベ１のガス管３にはボンベホルダー２を介してガスが供給されており、このガスに着火すれば、燃焼ガスはパイプ４ａ，４ｂを通ってこて先部５に送られ、キャップ状体１０およびリング体１１が内側から加熱される。
【００２７】
そこで、焼烙する対象の牛が、除角器を使用しない１ヶ月令までの角が生える前までの牛の場合は、リング体１１の凹部１１ｂのくぼみを利用してこの凹部１１ｂ内に角を差し入れ、角を包み込むようにして焼く。
【００２８】
また、角が生え始めた牛に対しては、除角した後、角の切断面をリング面１１ａで焼烙し、１０ヶ月令前後からの牛に対しては、除角後、リング体１１によって面で焼くだけでは血が止りにくいので、座板９の尖った鋭角先端部である止血部１４を使用して点で焼き止血する。
【００２９】
止血部１４による止血は、図２に示すようにパイプ４ａ，４ｂ側から供給される燃焼ガスが開口１３を通過してガス孔１２から上方に吹出すから、この熱で止血部１４が加熱されることで、確実に行える。
【００３０】
そして、キャップ状体１０の内側に供給された燃焼ガスはキャップ状体１１の後部でその円形の開口と三角形状の板体９ｂとの間に形成される隙間を通って外部に排出される。
【００３１】
排出される燃焼ガスはボンベ側１に向って吐出するが、パイプ４ａ，４ｂの境界部に返り火避け７が設けてあるから、ボンベ１の加熱を防止でき、安全である。
【図面の簡単な説明】
【００３２】
【図１】本発明の牛の除角用焼烙ごての実施形態を示す全体斜視図である。
【図２】本発明の牛の除角用焼烙ごての実施形態を示す要部であるこて先部の一部切欠いた側面図である。
【図３】本発明の牛の除角用焼烙ごての実施形態を示す要部であるこて先部の正面図である。
【図４】本発明の牛の除角用焼烙ごての実施形態を示す要部であるこて先の正面図である。
【図５】本発明の牛の除角用焼烙ごての実施形態を示す要部である止血用座板の正面図である。
【符号の説明】
【００３３】
１  ガスボンベ                  ２  ボンベホルダー
３  ガス管                      ４  継手パイプ
４ａ，４ｂ  パイプ
５  こて先部                    ６  開口孔
７  返り火避け                  ８  こて先
９  座板                        ９ａ  筒体
９ｂ  板体                      １０  キャップ状体
１１  リング体                  １１ａ  リング面
１１ｂ  凹部                    １２  ガス孔
１３  開口                      １４  止血部
【図１】
0004662366.tif 000002
【図２】
0004662366.tif 000003
【図３】
0004662366.tif 000004
【図４】
0004662366.tif 000005
【図５】
0004662366.tif 000006